(57)【要約】【課題】      シートの伸縮性やテーバーこわさを特に規定しなくても、内側シートと外側シートとの歪みに起因する、不均一な多角形のウエーブの形成を防止することができる毛髪保持具を提供すること。【解決手段】  重ね合わされた２枚の帯状シート３，４で構成され、両帯状シート３，４間を毛髪束が挿通可能になされた毛髪保持具であって、両帯状シート３，４の重ね合わされた状態を維持可能なように、一方の前記帯状シート３に対して、他方の前記帯状シート４が長手方向に移動自在に保持されている。【選択図】    図１
2005152377.tif 000002
【特許請求の範囲】
【請求項１】
重ね合わされた２枚の帯状シートで構成され、両帯状シート間を毛髪束が挿通可能になされた毛髪保持具であって、
両帯状シートの重ね合わされた状態を維持可能なように、一方の前記帯状シートに対して、他方の前記帯状シートが長手方向に移動自在に保持されている毛髪保持具。
【請求項２】
前記一方の帯状シートは、所定の巻き上げ形状に巻き上がるようになされている請求項１記載の毛髪保持具。
【請求項３】
前記他方の帯状シートは、前記一方の帯状シートにおける一方の側縁部から他方の側縁部を跨ぐように設けられたブリッジ部材により保持されており、
前記他方の帯状シートにおける両側縁部の一端部近傍が、前記一方の帯状シートに固定されている請求項１又は２記載の毛髪保持具。
【請求項４】
前記他方の帯状シートは、前記一方の帯状シートにおける両側縁部それぞれに幅方向内方に向けて延出して設けられたガイド部材により保持されている請求項１又は２記載の毛髪保持具。
【発明の詳細な説明】
【技術分野】
【０００１】
本発明は、パーマ等により毛髪にカールを付与する場合に、毛髪束を所定の形状に巻回するときの補助具として用いられる毛髪保持具に関する。
【背景技術】
【０００２】
下記特許文献１には、本出願人による「一端の開口部から他端の開口部に向けて毛髪束を挿通可能にシートにより構成された扁平形状の筒状体からなり、筒状体の伸縮性やテーバーこわさを所定範囲に規定した毛髪保持具」が記載されている。
この毛髪保持具によれば、毛髪が筒状体の内部に挿入された状態で該毛髪を該筒状体ごと巻き上げることができ、簡便な操作で毛髪の巻き上げを行うことができる。そして、扁平形状の筒状体からなる毛髪保持具においては、筒状体の巻き上げ時において筒状体を形成する内側シートと外側シートとの歪みに起因して、不均一な多角形のウエーブが形成されるという問題点があるが、前記毛髪保持具は、斯る問題点を、筒状体を形成するシートの伸縮性やテーバーこわさを所定範囲に規定することにより、解消している。
【０００３】
【特許文献１】国際公開第０３／００７７５２号パンフレット
【発明の開示】
【発明が解決しようとする課題】
【０００４】
しかし、前記毛髪保持具においては、筒状体を形成する内側シートと外側シートとの歪みに起因する前記問題点を解消するために、筒状体を形成するシートの伸縮性やテーバーこわさを所定範囲に規定する必要があり、筒状体を形成するシート材料の選択に自由度が少ない。
【０００５】
従って、本発明の目的は、シートの伸縮性やテーバーこわさを特に規定しなくても、内側シートと外側シートとの歪みに起因する、不均一な多角形のウエーブの形成を防止することができる毛髪保持具を提供することにある。
【課題を解決するための手段】
【０００６】
本発明は、重ね合わされた２枚の帯状シートで構成され、両帯状シート間を毛髪束が挿通可能になされた毛髪保持具であって、両帯状シートの重ね合わされた状態を維持可能なように、一方の前記帯状シートに対して、他方の前記帯状シートが長手方向に移動自在に保持されている毛髪保持具を提供することにより、上記目的を達成したものである。
【発明の効果】
【０００７】
本発明の毛髪保持具によれば、シートの伸縮性やテーバーこわさを特に規定しなくても、内側シートと外側シートとの歪みに起因する、不均一な多角形のウエーブの形成を防止することができる。
【発明を実施するための最良の形態】
【０００８】
以下、本発明の毛髪保持具を、その好ましい一実施形態である第１実施形態について、図１を参照して説明する。
第１実施形態の毛髪保持具１は、図１に示すように、重ね合わされた２枚の帯状シート３，４で構成され、両帯状シート３，４間を毛髪束Ｈ（図２参照）が挿通可能になされた毛髪保持具であって、両帯状シート３，４の重ね合わされた状態を維持可能なように、一方の前記帯状シート３に対して、他方の前記帯状シート４が長手方向に移動自在に保持されている。
【０００９】
第１実施形態の毛髪保持具１について詳述する。図１に示すように、一方の帯状シート３は矩形状を有しており、他方の帯状シート４は略矩形状を有している。他方の帯状シート４は、一方の帯状シート３に比して長さ及び幅が何れも短い。他方の帯状シート４は、一端部近傍Ｓ〔図１（ａ）下方側のハッチング部分〕のみが一方の帯状シート３の幅と同じになるように幅方向に延出している。この他方の帯状シート４における両側縁部の一端部近傍Ｓが、一方の帯状シート３に固定されている。両シート３，４は、その他の部分においては固定されていない。
【００１０】
また、他方の帯状シート４は、図１に示すように、一方の帯状シート３における一方の側縁部から他方の側縁部を跨ぐように設けられた２個のブリッジ部材５Ａ，５Ｂにより保持されている。
ブリッジ部材５Ａ、５Ｂは、その長さ（帯状シート３，４の幅方向に沿う長さ）が一方の帯状シート３の幅と同じであり、一方の帯状シート３の長手方向に間隔を置いて、一方の帯状シート３を略３等分する位置に設けられている。また、ブリッジ部材５Ａ、５Ｂは、その長手方向両端部のみが、一方の帯状シート３における、他方の帯状シート４が重なっていない露出部分と接合している。
【００１１】
このように一方の帯状シート３に設けられたブリッジ部材５Ａ、５Ｂにより他方の帯状シート４が保持されており〔図１（ｃ）参照〕、本実施形態の毛髪保持具においては、一方の帯状シート３、他方の帯状シート４及びブリッジ部材５Ａ・５Ｂから、一端の開口部２１及び他端の開口部２２を有する略筒状体（機能的、形態的に筒状体と同等なもの）２が構成されている。
【００１２】
一方の帯状シート３における、一端の開口部２１側で且つ他方の帯状シート４が配置していない側には、図１（ｂ）に示すように、雄のメカニカルファスナー６が設けられている。
メカニカルファスナー６は、他方の帯状シート４及びブリッジ部材５Ａ・５Ｂに係止できるようになっている。
【００１３】
帯状シート３，４の大きさは、毛髪の長さやくせ付けしたい場所、挿入する毛髪束の量に応じて適宜選択される。
一方の帯状シート３の長さＬ１〔図１（ｂ）参照〕に対する、一方の帯状シート３と他方の帯状シート４との固定箇所の長さＬ２〔図１（ａ）参照、一方の帯状シート３の長手方向に沿う長さ〕の比、即ちＬ２／Ｌ１は、一方の帯状シート３と他方の帯状シート４との相対位置がスムーズにずれ易くするためには、好ましくは０．１以下であり、更に好ましくは０．０５以下である。
【００１４】
一方の帯状シート３及び他方の帯状シート４としては、各種可撓性材料が用いられ、例えば、不織布、織布、多孔性又は非多孔性の樹脂フィルム、紙、又はこれらの複合体等が挙げられる。本実施形態においては、ポリエステル系不織布が用いられている。
一方の帯状シート３は、所定の巻き上げ形状に巻き上がるようになされている。本実施形態においては、一方の帯状シート３は、渦巻ばね形状に巻き上がるようにくせ付けられており、一方の帯状シート３を内側、他方の帯状シートを外側にして、巻き上がるようになっている。
【００１５】
ブリッジ部材５としては、前述の帯状シート３，４と同じ材料を用いることできる他、金属板、不織布、織布等を用いることもできる。本実施形態においては、帯状シート３，４と同じ材料を用いている。
【００１６】
次に、本発明の毛髪保持具の第１実施形態の一使用態様として、パーマ処理により毛髪（頭髪）に直接カールを付与する場合について、図２を参照しながら説明する。
先ず、毛髪束Ｈの量や得ようとするカール形状に応じて、適当な長さ及び幅を有する略筒状体２からなる毛髪保持具１を用い、図２（ａ）に示すように、略筒状体２の一端の開口部２１を開口して、該開口部２１から毛髪束Ｈを挿入する。そして、毛髪束Ｈを、その先端が略筒状体２の他端の開口部２２から少しはみ出るまで、略筒状体２に挿通させる。尚、必ずしも、毛髪束Ｈの先端を略筒状体２の他端の開口部２２からはみ出させる必要はない。
【００１７】
毛髪束Ｈを略筒状体２に挿通させた後、図２（ｂ）及び（ｃ）に示すように、毛髪保持具１を略筒状体２の他端の開口部２２の側から、一方の帯状シート３を内側にして所望の巻回径で巻回してゆく。毛髪保持具１を巻回するに従い、一方の帯状シート３と他方の帯状シート４とは相対位置がずれてゆく。
【００１８】
然る後、図２（ｄ）に示すように、メカニカルファスナー６と他方の帯状シート４（又はブリッジ部材５Ａ、５Ｂ）とを接合し、略筒状体２の巻き上げ状態、延いては毛髪束Ｈの巻き上げ状態を保持する。
その後、略筒状体２の外側からパーマ用の毛髪処理剤を毛髪束Ｈに付与する。毛髪処理剤は、帯状シート３，４を通過して、毛髪束Ｈに付与される。
所定時間後、略筒状体２から毛髪束Ｈを挿脱し、洗髪等して、パーマ処理を完了する。
２剤式のパーマ用毛髪処理剤の場合は、毛髪束Ｈを挿脱した後に毛髪束Ｈに第２液を塗布し放置した後に洗髪等して、パーマ処理を完了することができる。
【００１９】
本実施形態の毛髪保持具１においては、両帯状シート３，４の重ね合わされた状態を維持可能なように、一方の帯状シート３に対して、他方の帯状シート４が長手方向に移動自在に保持されているため、毛髪束Ｈが挿入された毛髪保持具１（略筒状体２）を巻き上げた際に、毛髪保持具１を構成する一方の帯状シート３と他方の帯状シート４との相対位置がずれ、両帯状シート３、４に歪みが生じることがない。
また、本実施形態の毛髪保持具１においては、一方の帯状シート３と他方の帯状シート４とが部分的に固定されているため、一方の帯状シート３から他方の帯状シート４が脱落することがない。
【００２０】
このように、本実施形態の毛髪保持具１によれば、シートの伸縮性やテーバーこわさを特に規定しなくても、内側シートと外側シートとの歪みに起因する、不均一な多角形のウエーブの形成を防止することができ、その結果、毛髪に、容易且つ確実に綺麗なカールを付与することができる。
尚、この効果は、一方の帯状シート３を内側にして毛髪保持具１を巻回した場合及び他方の帯状シート４を内側にして毛髪保持具を巻回した場合の何れの場合でも奏される。
【００２１】
次に、本発明の毛髪保持具の第２実施形態について説明する。第２実施形態については、第１実施形態と異なる点についてのみ説明し、特に説明しない点については、第１実施形態に関する説明が適宜適用される。
【００２２】
第２実施形態の毛髪保持具１は、図３に示すように、重ね合わされた２枚の帯状シート３，４で構成され、両帯状シート３，４間を毛髪束Ｈ（図２参照）が挿通可能になされており、両帯状シート３，４の重ね合わされた状態を維持可能なように、一方の帯状シート３に対して、他方の帯状シート４が長手方向に移動自在に保持されており、一方の帯状シート３は、所定の巻き上げ形状に巻き上がるようになされており、一方の帯状シート３には、雄のメカニカルファスナー６が設けられている。これらの点については、第１実施形態の毛髪保持具と同じである。
【００２３】
一方、第２実施形態においては、第１実施形態と異なり、図３に示すように、他方の帯状シート４は、一方の帯状シート３における両側縁部それぞれに幅方向内方に向けて延出して設けられたガイド部材７，７・・・・により保持されている。即ち、第２実施形態においては、一方の帯状シート３、他方の帯状シート４及びガイド部材７から、一端の開口部２１及び他端の開口部２２を有する略筒状体２が構成されている。
【００２４】
第２実施形態の毛髪保持具１について詳述する。一方の帯状シート３及び他方の帯状シート４は、図３に示すように、何れも矩形状を有している。他方の帯状シート４は、一方の帯状シート３に比して、長さ及び幅が何れも短くなっている。
一方の帯状シート３の両側縁部には、それぞれ多数のシートガイド７が一方の帯状シート３の長手方向に直列するように設けられている。他方の帯状シート４は、図３（ｃ）に示すように、左右一対のシートガイド７、７により一方の帯状シート３側に保持されるようになっている。
【００２５】
シートガイド７における、他方の帯状シート４上に延出する長さＬ３〔帯状シート３，４の幅方向に沿う長さ、図３（ｃ）参照〕は、通常の使用態様において、略筒状体２（帯状シート３，４）を巻回したり捻ったり、他方の帯状シート４を撓ませたりしたときにおいても他方の帯状シート４がシートガイド７から脱落しないような長さを有していればよい。
また、第２実施形態の毛髪保持具１においては、第１実施形態とは異なり、他方の帯状シート４が一方の帯状シート３に全く接合されていない。
【００２６】
このように構成された第２実施形態の毛髪保持具においても、第１実施形態と同様に、他方の帯状シート４が一方の帯状シート３に対し移動自在となっているため、毛髪保持具の巻き上げ時における内面シートと外面シートとの歪みが発生せず、第１実施形態と同様の効果を得ることができる。
【００２７】
本発明の毛髪保持具は、前述した実施形態に制限されることなく、本発明の趣旨を逸脱しない限り、例えば以下に示すように適宜変更が可能である。
ブリッジ部材が設けられた構成の毛髪保持具においては、ブリッジ部材は、他方の帯状シートの長さ、幅等に応じて適当な個数を設けることができる。ブリッジ部材の幅（帯状シートの長手方向に沿う幅）は、適宜設定できる。
【００２８】
ガイド部材が設けられた構成の毛髪保持具においては、ガイド部材は、帯状シートの長手方向に間欠的に設けられていてもよい。
本発明においては、両帯状シートの重ね合わされた状態を維持可能なように、一方の帯状シートに対して、他方の帯状シートが長手方向に移動自在に保持することができる構成を有していれば、前記のブリッジ部材やガイド部材が設けられた構成以外の構成を採用することができる。
【００２９】
一方の帯状シートと他方の帯状シートとは、第１実施形態のように部分的に固定されていてもよく、第２実施形態のように全く固定されていなくてもよい。部分的に固定される場合における両帯状シートの固定箇所は、第１実施形態のように長手方向端部でもよく、長手方向中央部でもよい。該固定箇所は、第１実施形態のように両側縁部に設けてもよく、一方の側縁部のみに設けてもよい。
本発明の前記実施形態のそれぞれ異なる部分を、適宜変更したり組み合わせた形態とすることもできる。
両帯状シートが部分的に固定された構成の毛髪保持具においては、本発明の効果を充分に得るためには、両帯状シートの固定箇所の長さ（帯状シートの長手方向に沿う長さ）は極力短い方がよく、また、該固定箇所を一方の帯状シートの両側縁部に設ける場合、それぞれの固定箇所が、帯状シートの長手方向に一致するように設けることが好ましい。
【００３０】
本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。また、毛髪の先端にカールを付与する場合以外にも、毛髪に波状にカールを付与する場合、毛髪に螺旋状にカールを付与する場合等にも適用が可能である。
【図面の簡単な説明】
【００３１】
【図１】図１は、本発明の毛髪保持具の第１実施形態を示す図で、（ａ）は正面図、（ｂ）は背面図、（ｃ）は（ａ）に示すＣ−Ｃ断面図である。
【図２】図２は、第１実施形態の毛髪保持具の一使用態様を示す図で、（ａ）、（ｂ）、（ｃ）及び（ｄ）は、それぞれ毛髪束の巻回手順を順次示す斜視図である。
【図３】図３は、本発明の毛髪保持具の第２実施形態を示す図で、（ａ）は正面図、（ｂ）は背面図、（ｃ）は（ａ）に示すＣ−Ｃ断面図である。
【符号の説明】
【００３２】
１  毛髪保持具
２  略筒状体
２１、２２  開口部
３  一方の帯状シート
４  他方の帯状シート
５Ａ、５Ｂ  ブリッジ部材
６  メカニカルファスナー
７  ガイド部材
Ｈ  毛髪束
【図１】
2005152377.tif 000003
【図２】
2005152377.tif 000004
【図３】
2005152377.tif 000005